(57)【要約】【課題】洗浄機などの作業機をトラクタに短時間で取り付けることができる取付構造を提供する。【解決手段】枠体４の後部をヒッチ２の掛止溝２７に掛止させることで、洗浄機３の重量によって掛止溝２７を支点として枠体４の後部に設けてある係合棒４１をヒッチ２の凹部２８に係合させて、短時間で洗浄機３をヒッチ２に取り付けることができる構成とした。また凹部２８に係合した係合棒４１を固定機構５０にて固定することで、トラクタの振動が枠部に伝播しても係合棒４１が凹部２８から外れず、洗浄機３がヒッチ２から脱落することを防ぐことができる構成とした。【選択図】図５
2010268766.tif 000002
【特許請求の範囲】
【請求項１】
トラクタの前部に設けられたヒッチに作業機を取り付ける取付構造において、
前記作業機の上下及び前後部を枠体が囲繞しており、
前記ヒッチの上部及び前部に掛止溝及び凹部がそれぞれ形成してあり、
前記枠体の後部の上部分が前記掛止溝に掛止するようにしてあり、
該枠体の後部の中央部分に前記凹部に係合する係合棒を設けてあること
を特徴とする取付構造。
【請求項２】
前記凹部に係合した係合棒を固定する固定機構を備えることを特徴とする請求項１に記載の取付構造。
【請求項３】
前記固定機構は、
前記ヒッチに設けた横方向に延びる枢軸と、
該枢軸に後部を連結してあり、前記凹部よりも前側に延出した前記枢軸回りに回動する回動板と、
該回動板と前記ヒッチとを連結しており、前記回動板を凹部側へ付勢する弾性部材と
を備えることを特徴とする請求項２に記載の取付構造。
【請求項４】
前記回動板に連結しており、上方へ延出したレバーを備え、
該レバーを前側へ傾倒させた場合に前記回動板が凹部と反対側へ回動するようにしてあること
を特徴とする請求項３に記載の取付構造。
【請求項５】
前記枠体の前部に把持部が設けてあること
を特徴とする請求項１乃至４のいずれか一つに記載の取付構造。
【請求項６】
前記枠体は、
前記ヒッチに取り付けられる取付部と、
該取付部に着脱可能に連結され、前記作業機に固定される固定部と
を備えることを特徴とする請求項１乃至５のいずれか一つに記載の取付構造。
【請求項７】
錘を搭載する搭載部を備えることを特徴とする請求項１乃至６のいずれか一つに記載の取付構造。
【請求項８】
前記作業機は洗浄機であることを特徴とする請求項１乃至７のいずれか一つに記載の取付構造。 
【発明の詳細な説明】
【技術分野】
【０００１】
本発明はトラクタのバンパに設けられたヒッチに作業機を取り付ける取付構造に関する。
【背景技術】
【０００２】
一般にトラクタの後部にはＰＴＯ（Power take-off）軸が設けてあり、該ＰＴＯ軸に耕耘機を連結して圃場を耕耘する。圃場の耕耘によってトラクタには泥が付着するため、泥が付着した状態で道路を走行した場合には泥の落下により道路が汚れる。そのため洗浄機をトラックなどの運搬手段にて予め圃場に運搬しておき、耕耘作業終了後に、運搬した洗浄機でトラクタを洗浄する。しかし洗浄機の保管場所と圃場とが離れている場合には、洗浄機の運搬に長時間を要し、ユーザにとって負担が大きい。
【０００３】
一方トラクタの前部に設けてあるバンパは、耕耘機の重量とのバランスを考慮して錘を搭載することができるように構成されており、該バンパには錘に代えて土壌消毒機又は肥料散布機などを搭載することができる。特許文献１にはキャスタースタンドを介してバンパに取り付けることができる肥料散布機が開示されており、該肥料散布機と同様にして洗浄機をバンパに取り付けることが考えられる。
【先行技術文献】
【特許文献】
【０００４】
【特許文献１】特開平１０−２４８３３８号公報
【発明の概要】
【発明が解決しようとする課題】
【０００５】
しかし特許文献１に記載の肥料散布機は横長のキャスタースタンドを使用しており、トラクタよりも横にはみ出したキャスタースタンドはトラクタの円滑な走行を妨げる。また前記肥料散布機は、その中央部に設けた小型の取付ヒンジをバンパに設けたヒッチに係止することによってトラクタに取り付けられる。小型の取付ヒンジを視認しながら、ヒッチとの位置合わせ行うには長時間を要し、肥料散布機と同様の構成で洗浄機をバンパへ取り付けるには長時間を要する。
【０００６】
本発明は斯かる事情に鑑みてなされたものであり、洗浄機などの作業機をトラクタに短時間で係止させることができ、また作業機を係止したトラクタが円滑に走行することができる取付構造を提供することを目的とする。
【課題を解決するための手段】
【０００７】
本発明に係る取付構造は、トラクタの前部に設けられたヒッチに作業機を取り付ける取付構造において、前記作業機の上下及び前後部を枠体が囲繞しており、前記ヒッチの上部及び前部に掛止溝及び凹部がそれぞれ形成してあり、前記枠体の後部の上部分が前記掛止溝に掛止するようにしてあり、該枠体の後部の中央部分に前記凹部に係合する係合棒を設けてあることを特徴とする。
【０００８】
本発明においては、前記枠体の後部の上部分を前記ヒッチの掛止溝に掛止させることで、作業機の重量によって前記掛止溝を支点として枠体が回動し、枠体の後部の中央部分に設けてある係合棒がヒッチの凹部に係合する。
【０００９】
本発明に係る取付構造は、前記凹部に係合した係合棒を固定する固定機構を備えることを特徴とする。
【００１０】
本発明においては、前記凹部に係合した係合棒を固定し、トラクタの振動によって作業機がヒッチから外れることを防止する。
【００１１】
本発明に係る取付構造は、前記固定機構は、前記ヒッチに設けた横方向に延びる枢軸と、該枢軸に後部を連結してあり、前記凹部よりも前側に延出した前記枢軸回りに回動する回動板と、該回動板と前記ヒッチとを連結しており、前記回動板を凹部側へ付勢する弾性部材とを備えることを特徴とする。
【００１２】
本発明においては、弾性部材の弾性力によって回動板を凹部側へ付勢させて、回動板と凹部との間で係合棒を挟持する。
【００１３】
本発明に係る取付構造は、前記回動板に連結しており、上方へ延出したレバーを備え、該レバーを前側へ傾倒させた場合に前記回動板が凹部と反対側へ回動するようにしてあることを特徴とする。
【００１４】
本発明においては、上方に延出したレバーを前側に倒すことで回動板は凹部と反対側へ回動し、固定機構による係合棒の固定が解除される。
【００１５】
本発明に係る取付構造は、前記枠体の前部に把持部が設けてあることを特徴とする。
【００１６】
本発明においては、把持部と前記枠体の上部とをユーザが把持することで、枠体の後部がヒッチ側へ傾いて掛止溝に接近し、枠体の後部を掛止溝に掛止させ易くなる。
【００１７】
本発明に係る取付構造は、前記枠体は、前記ヒッチに取り付けられる取付部と、該取付部に着脱可能に連結され、前記作業機に固定される固定部とを備えることを特徴とする。
【００１８】
本発明においては、作業機の寸法に応じて設計した固定部を取付部に連結する。
【００１９】
本発明に係る取付構造は、錘を搭載する搭載部を備えることを特徴とする。
【００２０】
本発明においては、トラクタの後部に大重量の耕耘機が連結してある場合に、ヒッチに搭載部を連結し、該搭載部に錘を搭載することによって、重量のバランスを保持する。
【００２１】
本発明に係る取付構造は、前記作業機は洗浄機であることを特徴とする。
【００２２】
本発明においては、洗浄機をヒッチに取り付けてトラクタと共に圃場へ運搬する。
【発明の効果】
【００２３】
本発明に係る取付構造にあっては、前記枠体の後部を前記ヒッチの掛止溝に掛止させることで、作業機の重量によって前記掛止溝を支点として枠体の後部に設けてある係合棒がヒッチの凹部に接近し係合する。枠体は作業機を囲繞しており、ユーザは枠体を容易に視認することができるので、短時間で作業機をヒッチに取り付けることができる。また枠体の２カ所を１回の作業でヒッチに係止させることができ、作業機のトラクタへの取り付けを確実且つ容易に行うことができる。また枠体は作業機の側面を囲繞しておらず、枠体を介して作業機をトラクタに固定しても、枠体がトラクタよりも横にはみ出すことはなく、トラクタを円滑に走行させることができる。
【００２４】
また前記凹部に係合した係合棒を前記固定機構にて固定することで、トラクタの振動が枠部に伝播しても係合棒は凹部から外れず、作業機がヒッチから脱落することを防ぐことができる。
【００２５】
また弾性部材の弾性力によって回動板を後側へ付勢させて、回動板と凹部との間で係合棒を挟持し、トラクタの移動中に作業機がヒッチから脱落することを防ぐことができる。また回動板は弾性部材の弾性力によって係合棒を挟持するので、ユーザが作業機をヒッチに固定するための作業を行う必要はない。
【００２６】
また上方に延出したレバーを前側に倒すことで回動板は前側に回動し、固定機構による係合棒の固定が解除されるので、ユーザは容易に作業機をヒッチから取り外すことができる。
【００２７】
また把持部と前記枠体の上部とをユーザが把持することで、枠体の後部がヒッチ側へ傾いて掛止溝に接近し、枠体の後部を掛止溝に掛止させ易くなるので、ユーザは容易に作業機をヒッチに取り付けることができる。
【００２８】
また作業機の寸法に応じて設計した固定部を取付部に連結することができるので、寸法の如何に拘わらず、作業機をヒッチに取り付けることができる。
【００２９】
またトラクタの後部に大重量の耕耘機が連結してある場合に、ヒッチに搭載部を連結し、該搭載部に錘を搭載することによって、トラクタの前後のバランスを維持し、トラクタを安定に走行させることができる。
【００３０】
また洗浄機をヒッチに取り付けてトラクタと共に圃場へ運搬することで、トラックなどの運搬手段にて洗浄機を予め圃場に運搬する必要性をなくし、ユーザの負担を軽減させることができる。
【図面の簡単な説明】
【００３１】
【図１】トラクタのバンパに設けられたヒッチに洗浄機を取り付けた取付構造を示す模式的断面図である。
【図２】枠体を示す模式的斜視図である。
【図３】バンパに固定されたヒッチを略示する縦断面図である。
【図４】ヒッチを略示する分解斜視図である。
【図５】枠体の上端部及び把持棒をユーザが把持した場合における枠体とヒッチとの位置関係を説明する説明図である。
【図６】枠体の掛止溝への掛止を説明する説明図である。
【図７】係合棒の凹部への係合及び固定機構による継合棒の固定を説明する説明図である。
【図８】実施の形態に係る取付構造の変形例を略示する平面図である。
【発明を実施するための形態】
【００３２】
以下本発明を実施の形態に係る取付構造を示す図面に基づいて詳述する。図１はトラクタのバンパに設けられたヒッチに洗浄機を取り付けた取付構造を示す模式的断面図、図２は枠体を示す模式的斜視図である。
【００３３】
図において１はトラクタの前部をなすバンパであり、該バンパ１は上下に貫通した筒状部１ａを有している。該筒状部１ａの前側面に、作業機をバンパ１に取り付けるためのヒッチ２が固定してある。該ヒッチ２には作業機としての洗浄機３が取り付けてある。洗浄機３には、洗浄機３の上下及び前後部を囲繞する枠体４が設けてある。なおトラクタの前後進方向を前後方向とし、天地方向を上下方向としている。
【００３４】
枠体４は、ヒッチ２に取り付けられる取付部４０と、洗浄機３を固定する固定部４５とを備える。
図２に示すように、取付部４０は、前部が開放するようにコ字状に成形したパイプの後部を略直角に上方に屈曲させるようにして形成されている。取付部４０の上下に延びるパイプ同士の間には、後述する凹部２８に係合する係合棒４１がパイプと一体に設けてある。また取付部４０の上下に延びるパイプと取付部４０の前後に延びるパイプとの間には、取付部４０を補強するための補強杆４２、４２が左右にそれぞれ設けてある。
【００３５】
図２に示すように、固定部４５は、後部が開放するようにコ字状に成形したパイプの前部を後上方へ湾曲させるようにして形成されている。固定部４５の上部には、洗浄機３に連結されるホースを掛止する側面視Ｌ状のホース掛け４６が設けてある。該ホース掛け４６は、左右に各別に配置され、左右のパイプに直角な棒部４６ａ、４６ａと、該棒部４６ａ、４６ａの先端からパイプと略平行に上方へ延びる延出部４６ｂ、４６ｂと、該延出部４６ｂ、４６ｂ同士の間に一体に架設した架設部４６ｃとを備える。
【００３６】
固定部４５の前部には、ユーザが把持するための把持棒４７がパイプ同士の間に一体に設けてある。該把持棒４７と固定部４５の上端部とは上下方向に適長離隔している。固定部４５の下部には、左右のパイプから下側に突出した円柱状の緩衝部４８が各パイプに二つずつ設けてある。該緩衝部４８はゴムなどの弾性部材からなる。また固定部４５の下部には、洗浄機３を載置して固定するための固定板４９が左右のパイプの上側に固定してある。固定板４９の左右には二つのボルト孔４９ａ、４９ａがそれぞれ開設してある。ボルト孔４９ａに下側からボルトを挿入し、挿入したボルトを、洗浄機３に周設してあるブラケット３０の孔（図示せず）に挿通させて、ナット１０（図１参照）を螺合させることによって、洗浄機３は固定板４９に固定してある。固定板４９に固定された洗浄機３は枠体４の後寄りに位置する。なお前記取付部４０の後端部と固定部４５の前端部とはボルト１１（図１参照）及びナット１２によって連結してある。
【００３７】
実施の形態に係る取付構造は、取付部４０の後部を前記ヒッチ２に取り付けることによって洗浄機３をトラクタのバンパ１に取り付けている。図３はバンパ１に固定されたヒッチ２を略示する縦断面図、図４はヒッチ２を略示する分解斜視図である。
【００３８】
図３に示すように、ヒッチ２は、バンパ１の正面に取り付けた正面板部２０を備える。正面板部２０の四隅にはボルト１３が挿入する挿入孔２１がそれぞれ開設してある。前述したようにバンパ１は上下に貫通した筒状部１ａを有しており、該筒状部１ａの前側面の後側に、上下に細長い矩形の挟持板部２２、２２が左右に設けてある。挟持板部２２の上下端部には雌ねじを形成したねじ孔２３、２３がそれぞれ開設してある。該ねじ孔２３と正面板部２０の挿入孔２１とが対応するように、挟持板部２２は配置されている。
【００３９】
図４に示すように、ばね座金１４及び平座金１５を介してボルト１３を挿入孔２１に挿入し、ねじ孔２３に螺合させることによって、正面板部２０と挟持板部２２との間でバンパ１を挟持し、正面板部２０をバンパ１の正面に固定してある。正面板部２０には、正面板部２０から前側に突出した左右方向に直交する二つの突出板部２５、２５が設けてある。該突出板部２５、２５は左右に配してある。各突出板部２５の上部は下側に窪んでおり、各突出板部２５の窪みには左右に延びる側面視コの字状の溝部材２６が嵌合している。該溝部材２６の前側上端部は前方へ湾曲しており、前記枠体４後部の左右に延びるパイプを溝部材２６の内側へ案内するようにしてある。なお溝部材２６の内側は前記枠体４後部の左右に延びるパイプを掛止する掛止溝２７となっている。
【００４０】
各突出板部２５、２５の下部には、後側へ窪んだ凹部２８、２８が形成してある。該凹部２８、２８には枠部の係合棒４１が係合する。
一方の突出板部２５に、凹部２８に係合した係合棒４１を固定する固定機構５０が設けてある。該固定機構５０は、一方の突出板部２５の内側面に設けてあり、横方向を軸方向とした枢軸５１と、該枢軸５１回りに回動する回動板５２とを備える。枢軸５１は、凹部２８よりも後側であって、下側に位置している。回動板５２の後部は枢軸５１に連結しており、回動板５２の前部は前記凹部２８よりも前側に延出している。回動板５２の前部は前方へ張り出した円弧状に湾曲しており、円弧状部分の上端部は後方へ突出した嘴状に形成されている。回動板５２の嘴状に形成された部分の上下位置は凹部２８と略同じであり、前後位置は凹部２８よりも若干前側に位置している。
【００４１】
回動板５２における枢軸５１の近傍に、鈎状のレバー６０が固定してある。鈎状のレバー６０は、互いに平行な長手棒６１及び短手棒６２と、長手棒６１及び短手棒６２を連結する連結棒６３とを備えている。図４に示すように、短手棒６２は突出板部２５の内側にて上下に配してあり、長手棒６１は突出板部２５の外側にて上下に配してある。連結棒６３は突出板部２５の下側にて左右に配してあり、短手棒６２及び長手棒６１の下端部分を連結している。短手棒６２の上端部が回動板５２の内側面に固定してある。長手棒６１の上端部にはユーザが握持するための握持部６４が設けてある。
【００４２】
後述する図７に示すように、一方の突出板部２５の前部下側には貫通孔２５ａが開設してあり、該貫通孔２５ａの縁にばね５５の一端部が係止してある。一方ばね５５の他端部は、レバー６０の連結棒６３に固定してある。一方の突出板部２５に形成された凹部２８の上側には、横方向に延びる阻止部２５ｂが設けてある。ばね５５の弾性力によって回動板５２は上方へ付勢されており、前記係合棒４１が凹部２８に係合していない場合には回動板５２は阻止部２５ｂに当接し、その回動が阻止される。
【００４３】
次に枠体４を固定した洗浄機３のヒッチ２への取付について説明する。図５は枠体４の上端部及び把持棒４７をユーザが把持した場合における枠体４とヒッチ２との位置関係を説明する説明図、図６は枠体４の掛止溝２７への掛止を説明する説明図、図７は係合棒４１の凹部２８への係合及び固定機構５０による継合棒の固定を説明する説明図である。
【００４４】
枠体４を固定した洗浄機３をヒッチ２の前側に置いて、ユーザが枠体４（固定部４５）の上端部及び把持棒４７を把持して洗浄機３を持ち上げた場合に、洗浄機３は後寄りに固定してあることから、図５に示すように、洗浄機３の重量によって取付部４０が後側へ傾斜し、取付部４０の左右に延びるパイプがヒッチ２に接近する。そして取付部４０の左右に延びるパイプを、図６の矢印にて示すように、上方から掛止溝２７に掛止させる。次に掛止溝２７を支点にして、枠体４を後方へ回動させる。このとき、図７の白抜矢符にて示すように、係合棒４１は凹部２８に向けて移動し、回動板５２の湾曲した部分に当接する。回動板５２は係合棒４１に押圧され、実線矢印にて示すように、下方へ回動する。このときばね５５は実線矢印にて示すように、伸長する。係合棒４１は、回動板５２の嘴状に形成された部分を乗り越えて、凹部２８に係合する。そして破線矢印にて示すように、ばね５５は弾性復元力によって縮むので回動板５２は上方へ回動し、回動板５２の嘴状に形成された部分と凹部２８との間で係合棒４１は固定される。
【００４５】
洗浄機３をヒッチ２から取り外す場合には、ばね５５の弾性力に抗してレバー６０を前側へ倒し、回動板５２を下方へ回動させて固定板４９を凹部２８から離間させる。そして掛止溝２７を支点にして枠体４を前方へ回動させて、係合棒４１を凹部２８から外し、枠体４後部の左右に延びるパイプを掛止溝２７から取り外す。ユーザは、取り外した洗浄機３によってトラクタを洗浄することができる。
【００４６】
実施の形態に係る取付構造にあっては、枠体４後部の左右に延びるパイプを前記ヒッチ２の掛止溝２７に掛止させることで、洗浄機３の重量によって前記掛止溝２７を支点として枠体４が後方へ回動し、枠体４後部の中央部分に設けてある係合棒４１がヒッチ２の凹部２８に係合する。ユーザは枠体４を容易に視認することができるので、短時間で作業機をヒッチに取り付けることができる。洗浄機３を短時間でヒッチ２に取り付けることができ、ユーザの負担を軽減させることができる。また枠体４の２カ所を１回の作業でヒッチ２に係止させることができ、洗浄機３のトラクタへの取り付けを確実且つ容易に行うことができる。また枠体４は洗浄機３の側面を囲繞しておらず、枠体４を介して洗浄機３をトラクタに固定しても、枠体４がトラクタよりも横にはみ出すことはなく、トラクタを円滑に走行させることができる。
【００４７】
また前記凹部２８に係合した係合棒４１を前記固定機構５０にて固定することで、トラクタの振動が枠部に伝播しても係合棒４１は凹部２８から外れず、洗浄機３がヒッチ２から脱落することを防ぐことができる。
【００４８】
またばね５５（弾性部材）の弾性力によって回動板５２を上方へ付勢させて、回動板５２と凹部２８との間で係合棒４１を挟持し、トラクタの移動中に洗浄機３がヒッチ２から脱落することを防ぐことができる。
【００４９】
また上方に延出したレバー６０を前側に倒すことで、回動板５２はばね５５の弾性力に抗して下方へ回動し、固定機構５０による係合棒４１の固定が解除されるので、ユーザは容易に洗浄機３をヒッチ２から取り外すことができる。また回動板５２はばね５５の弾性力によって係合棒４１を挟持するので、ユーザが洗浄機３をヒッチ２に固定するための作業を行う必要はない。
【００５０】
また把持棒４７と枠体４（固定部４５）の上端部とを上下方向に適長離隔させることによって、把持棒４７と固定部４５の上端部とをユーザが把持した場合に、枠体４の後部（取付部４０）がヒッチ２側へ傾いて掛止溝２７に接近し、枠体４後部の左右に延びるパイプを掛止溝２７に容易に掛止させることができ、ユーザは洗浄機３をヒッチ２に容易に取り付けることができる。
【００５１】
また固定部４５と取付部４０とはボルト１１を外すことによって分離させることができるので、洗浄機３の寸法に応じて設計した固定部４５を取付部４０に連結し、寸法の異なる洗浄機３をヒッチ２に取り付けることができる。なお固定部４５の前後寸法は上り坂の走行に支障を来さない寸法に制限され、例えば略２０°の上り坂を走行することができる寸法に制限される。
【００５２】
また洗浄機３をヒッチ２に取り付けてトラクタと共に圃場へ運搬することで、トラックなどの運搬手段にて洗浄機３を予め圃場に運搬する必要性がなくなり、ユーザの負担が軽減する。
【００５３】
図８は実施の形態に係る取付構造の変形例を略示する平面図である。
トラクタのバンパ１に、横長のブラケット７０がボルト１６及びナット１７によって取り付けてある。該ブラケット７０の横方向中央部にヒッチ２が取り付けてあり、ブラケット７０の両端部（搭載部）に複数の錘７１が搭載してある。
【００５４】
実施の形態に係る取付構造の変形例にあっては、トラクタの後部に大重量の耕耘機が連結してあり、バンパ１に洗浄機３を取り付ける場合に、ブラケット７０の両端部に錘７１を搭載することによって、トラクタの前後のバランスを維持し、トラクタを安定に走行させることができる。
【００５５】
なお実施の形態に係る取付構造及びその変形例は、回動板５２にばね５５を連結しているが、ばね５５に代えてゴムなどの他の弾性部材を連結しても良い。また固定部４５と取付部４０とをボルト１１によって連結しているが、固定部４５と取付部４０とは一体に成形しても良い。また洗浄機３に代えて土壌消毒機、肥料散布機などの他の作業機をヒッチに取り付けても良い。また実施の形態に係る取付構造及びその変形例にあっては、枢軸５１は凹部２８よりも下側に位置しているが、枢軸５１を凹部２８よりも上側に位置させると共に回動板５２をばねによって下方へ付勢させて、係合棒４１を固定する構成としても良い。
【符号の説明】
【００５６】
１  バンパ
２  ヒッチ
３  洗浄機
４  枠体
２７  掛止溝
２８  凹部
４０  取付部
４１  係合棒
４５  固定部
４７  把持棒（把持部）
５０  固定機構
５１  枢軸
５２  回動板
５５  ばね（弾性部材）
６０  レバー
７０  ブラケット（搭載部）
７１  錘
【図１】
2010268766.tif 000003
【図２】
2010268766.tif 000004
【図３】
2010268766.tif 000005
【図４】
2010268766.tif 000006
【図５】
2010268766.tif 000007
【図６】
2010268766.tif 000008
【図７】
2010268766.tif 000009
【図８】
2010268766.tif 000010